(57)【特許請求の範囲】
【請求項１】
それぞれが印刷媒体を保持する複数のトレイと、前記複数のトレイのいずれかを有効トレイとする切換手段とを備える給紙カセットと、
前記有効トレイが保持する印刷媒体に印刷を行う印刷部と、
前記給紙カセットが前記印刷部にセットされると、ユーザーインターフェースを画面に表示させる表示制御部と、
を備え、
前記複数のトレイの内、前記給紙カセットの前記切換手段によって前記有効トレイとした状態のトレイを、前記ユーザーインターフェースによってユーザーに設定させる印刷装置。
【請求項２】
前記複数のトレイの少なくとも１組は、保持可能な印刷媒体の種類が互いに異なり、
前記表示制御部は、前記ユーザーインターフェースにおいて、前記ユーザーによる前記有効トレイの設定に応じて、設定された前記有効トレイが保持可能な印刷媒体の種類を選択肢として複数提示するとともに、複数の前記選択肢のいずれかを前記有効トレイが保持する印刷媒体の種類としてユーザーに選択させる、
請求項１に記載の印刷装置。
【請求項３】
前記表示制御部は、印刷媒体の種類の指定をともなう印刷要求を受け付けると、前記ユーザーインターフェースにおいて選択された前記選択肢と前記印刷要求が指定する印刷媒体の種類とが一致するか否かを判定し、一致しない場合、前記印刷要求が指定する印刷媒体の種類を前記有効トレイが保持可能であるか否かに応じた方法による前記給紙カセットの操作をユーザーに案内する、
請求項２に記載の印刷装置。
【請求項４】
前記表示制御部は、前記ユーザーインターフェースにおいて、前記切換手段が前記複数のトレイのいずれを前記有効トレイとしているかを見分けるための情報を提示する、
請求項１から３のいずれか一項に記載の印刷装置。
【請求項５】
前記複数のトレイの少なくとも１組は、保持可能な印刷媒体の種類が互いに異なり、
前記表示制御部は、前記給紙カセットが前記印刷部にセットされると、前記ユーザーインターフェースにおいて、
前記切換手段が前記複数のトレイのいずれを前記有効トレイとしているかをユーザーに設定させる前に、前記複数のトレイのいずれか１つ以上が保持可能な印刷媒体の種類を選択肢として複数提示するとともに複数の前記選択肢のいずれかをユーザーに選択させ、
前記複数のトレイのいずれか１つのみが保持可能な印刷媒体の種類が選択されると、当該１つのトレイを前記有効トレイとみなして設定し、
前記複数のトレイのいずれか２つ以上が保持可能な印刷媒体の種類が選択されると、前記切換手段が前記複数のトレイのいずれを前記有効トレイとしているかをユーザーに設定させる、
請求項１に記載の印刷装置。
【請求項６】
前記表示制御部は、前記ユーザーインターフェースにおいて、前記複数のトレイのいずれか１つのみが保持可能な印刷媒体の種類が選択されると、前記切換手段が当該１つのトレイを前記有効トレイとしているかをユーザーに確認する、
請求項５に記載の印刷装置。
【請求項７】
前記表示制御部は、前記ユーザーインターフェースにおいて、前記切換手段が前記複数のトレイのいずれを前記有効トレイとしているかを見分けるための情報を提示する、
請求項１に記載の印刷装置。
【請求項８】
近接場通信により外部装置と通信する通信部をさらに備え、
前記表示制御部は、前記通信部を介して前記外部装置における前記ユーザーインターフェースを制御する、
請求項１から７のいずれか一項に記載の印刷装置。
【発明の詳細な説明】
【技術分野】
【０００１】
本発明は印刷装置に関する。
【背景技術】
【０００２】
特許文献１には、２段のトレイを内蔵する給紙カセットを備える印刷装置が開示されている。この印刷装置は２段のトレイのいずれか一方を有効トレイとする切換手段を有し、用紙は有効トレイから供給される。
【先行技術文献】
【特許文献】
【０００３】
【特許文献１】特開２０１０−４２８９３号公報
【発明の概要】
【発明が解決しようとする課題】
【０００４】
しかし、複数段のトレイのいずれを切換手段が有効トレイとしているかを印刷装置が検出できるようにするためにセンサーを追加する場合、製造コストが増大するという問題がある。
【０００５】
本発明は、センサーを追加せずに複数段のトレイのいずれを切換手段が有効トレイとしているかを特定できる印刷装置を実現することを目的の１つとする。
【課題を解決するための手段】
【０００６】
（１）上記目的を達成するための印刷装置は、それぞれが印刷媒体を保持する複数のトレイと、前記複数のトレイのいずれかを有効トレイとする切換手段とを備える給紙カセットと、前記有効トレイが保持する印刷媒体に印刷を行う印刷部と、前記給紙カセットが前記印刷部にセットされると、前記切換手段が前記複数のトレイのいずれを前記有効トレイとしているかをユーザーに設定させるユーザーインターフェースを画面に表示させる表示制御部と、を備える。
【０００７】
本発明によると、給紙カセットが印刷部にセットされると、画面にユーザーインターフェースを表示して有効トレイをユーザーに設定させるため、センサーを追加せずに複数段のトレイのいずれを切換手段が有効トレイとしているかを特定できる。
【０００８】
請求項に記載された各手段の機能は、構成自体で機能が特定されるハードウェア資源、プログラムにより機能が特定されるハードウェア資源、又はそれらの組み合わせにより実現される。また、これら各手段の機能は、各々が物理的に互いに独立したハードウェア資源で実現されるものに限定されない。
【図面の簡単な説明】
【０００９】
【図１】本発明の実施形態にかかる模式図。
【図２】本発明の実施形態にかかるデータ構造図。
【図３】本発明の実施形態にかかるフローチャート。
【図４】本発明の実施形態にかかる画面遷移図。
【図５】本発明の実施形態にかかるデータ構造図。
【図６】本発明の実施形態にかかるフローチャート。
【図７】本発明の実施形態にかかる画面遷移図。
【図８】本発明の実施形態にかかるフローチャート。
【図９】本発明の実施形態にかかる画面遷移図。
【図１０】本発明の実施形態にかかるフローチャート。
【図１１】本発明の実施形態にかかるデータ構造図。
【発明を実施するための形態】
【００１０】
以下、本発明の実施の形態を添付図面を参照しながら説明する。尚、各図において対応する構成要素には同一の符号が付され、重複する説明は省略される。
【００１１】
１．共通構成
本発明の実施例として図１に示すプリンター１は、下段トレイ５１、上段トレイ５２を備える給紙カセット５０から印刷媒体としての用紙を引き出し、引き出した用紙に印刷するインクジェットプリンターである。給紙カセット５０が備える２つのトレイのうち、印刷時に用紙が引き出されるトレイを有効トレイという。
【００１２】
給紙カセット５０は、後述する印刷部に対して脱着可能に構成されている。プリンター１は、給紙カセット５０の脱着を検出するセンサー４０を備えている。給紙カセット５０は、用紙束Ｐ１を保持する下段トレイ５１と用紙束Ｐ２を保持する上段トレイ５２とを備えている。下段トレイ５１は給紙カセット５０の外殻を構成している。上段トレイ５２をスライド可能に下段トレイ５１の内側に支持するガイド５１３が下段トレイ５１の内側に設けられている。ガイド５１３は、用紙が下段トレイ５１内を進む方向と平行に、上段トレイ５２を案内する。ここで給紙されるときに用紙が下段トレイ５１内を進む方向を前進方向といい、前進方向の逆方向を後退方向というものとする。また上段トレイ５２が実線で示すように下段トレイ５１に対して前進方向に最も進んだ位置を前進位置といい、上段トレイ５２が点線で示すように下段トレイ５１に対して後退方向に最も進んだ位置を後退位置というものとする。前進位置と後退位置のそれぞれにおいて上段トレイ５２は下段トレイ５１に対して係止される。
【００１３】
下段トレイ５１には、所定のサイズの用紙を所定の位置に保持するためのスライドガイド５１１が設けられている。上段トレイ５２にも、所定のサイズの用紙を所定の位置に保持するためのスライドガイド５２１が設けられている。プリンター１には、スライドガイド５１１、５２１の位置や用紙の性質を検出するセンサーが設けられていない。このためプリンター１は、下段トレイ５１、上段トレイ５２のそれぞれが保持する用紙のサイズと性質をユーザーに設定させる。
【００１４】
印刷部は、ピックアップローラー３１、送紙ローラー３０、２４、２３、２７、２６、分離ローラー２５、従動ローラー２９、２８、２２、２１、印刷ヘッド１４、印刷駆動部１２、給紙駆動部１３等を備えている。印刷ヘッド１４は、インクを吐出するアクチュエーターとその駆動回路を備えている。印刷駆動部１２は、印刷ヘッド１４を紙送り方向に対して垂直な主走査方向に移動させるアクチュエーターとその駆動回路を含む。給紙駆動部１３は、ピックアップローラー３１と送紙ローラー３０、２４、２３、２７、２６とを回転させるアクチュエーターとその駆動回路とを含む。
【００１５】
ピックアップローラー３１は、揺動軸３３の一端に回転軸を支持されている。揺動軸３３の他端は図示しない軸受けに回転可能に支持されている。ピックアップローラー３１を用紙束Ｐ１または用紙束Ｐ２に押し付けるように、揺動軸３３を押し出す図示しないバネが設けられている。
【００１６】
上段トレイ５２が前進位置にセットされているとき、ピックアップローラー３１は、上段トレイ５２に保持されている用紙束Ｐ２に接触し、回転することにより用紙束Ｐ２の最上層の用紙を前進方向に引き出す。引き出された用紙は、送紙ローラー３０、２４、２３、２７、２６、分離ローラー２５、従動ローラー２９、２８、２２、２１によって給紙経路ＰＰを搬送される。給紙経路ＰＰを搬送される用紙に対して印刷ヘッド１４によって印刷が行われる。すなわち上段トレイ５２が前進位置にセットされているとき、上段トレイ５２が有効トレイになる。上段トレイ５２が後退位置にセットされているとき、ピックアップローラー３１は、下段トレイ５１に保持されている用紙束Ｐ１に接触し、回転することにより用紙束Ｐ１の最上層の用紙を前進方向に引き出す。すなわち上段トレイ５２が後退位置にセットされているとき、下段トレイ５１が有効トレイになる。このように下段トレイ５１のガイド５１３と上段トレイ５２は、下段トレイ５１、上段トレイ５２のいずれかを有効トレイとする切換手段を構成している。
【００１７】
プリンター１には、下段トレイ５１と上段トレイ５２のいずれが有効トレイであるかを検出するセンサーが備わっていない。このためプリンター１は、有効トレイをユーザーに設定させる。
【００１８】
プリンター１には、ユーザーに有効トレイと用紙のサイズと紙質を設定させるためのユーザーインターフェースをタッチパネル１０の画面または外部の携帯型情報端末２の画面に表示させる制御部１１が備えられている。またプリンター１は、ＷｉＦｉ、ＮＦＣ（近接場通信）等で外部の携帯型情報端末２と通信するための通信部１５を備えている。制御部１１は、印刷駆動部１２、給紙駆動部１３、通信部１５およびユーザーインターフェースを制御するコンピューターである。制御部１１は、プロセッサ、主記憶、入出力機構および不揮発性の外部記憶を備え、外部記憶に記憶されている印刷制御プログラムを実行することにより印刷駆動部１２、給紙駆動部１３、通信部１５およびユーザーインターフェースを制御する。
【００１９】
２．第一実施例
本実施例において下段トレイ５１が保持可能な用紙のサイズと、上段トレイ５２が保持可能な用紙のサイズとは、重複せずに互いに異なっている。下段トレイ５１が保持可能な用紙サイズと、下段トレイ５１について設定し得る用紙サイズの選択肢とは、「Ａ４」および「Ｂ５」である。上段トレイ５２が保持可能な用紙サイズと、上段トレイ５２について設定し得る用紙サイズの選択肢とは、「２Ｌ」、「キングサイズ」および「Ｌ」である。
【００２０】
本実施例において制御部１１は、図２に示すように、トレイ毎にトレイが保持する用紙のサイズと性質をユーザーの設定に従って記憶する。具体的には、用紙のサイズ毎に、いずれかのトレイと、当該サイズについて最後に設定された用紙の性質（光沢紙、マット紙、再生紙、普通紙）とが対応付けて不揮発性の外部記憶に記憶される。また最後に設定された用紙のサイズについては、最後に設定された用紙のサイズであることを識別するためのフラグ（図２では「前回」の文字がフラグを示している。）がトレイ毎に記憶される。さらに前回有効トレイに設定されたトレイについて、前回有効トレイに設定されたトレイであることを識別するためのフラグ（図２では「直近」の文字がフラグを示している。）このように制御部１１は、ユーザーに設定される用紙の種類を、直前に設定された以外の種類も含めて、全体として５回分を、用紙のサイズ毎に１回分を、履歴として記憶する。以下、有効トレイと用紙のサイズと紙質の設定履歴を給紙カセット設定という。
【００２１】
次に、ユーザーに有効トレイと用紙のサイズと紙質を設定させるためのユーザーインターフェースについて説明する。センサー４０が給紙カセット５０の装着を検出すると、制御部１１は図３に示す給紙カセット設定処理を起動する。本実施例の給紙カセット設定処理では、図４に示すユーザーインターフェースが制御部１１によってタッチパネル１０の画面に表示される。
【００２２】
まず制御部１１は、有効トレイとして直近に設定されたトレイを選択状態にした有効トレイ設定画面をタッチパネル１０に表示する（Ｓ１２）。有効トレイ設定画面は、下段トレイ５１、上段トレイ５２のいずれを有効トレイとするかをユーザーに設定させるインターフェースである。図４Ａに示すように、有効トレイ設定画面には、上段トレイ５２を選択するためのアイコン１０１、下段トレイ５１を選択するためのアイコン１０２、選択されているトレイを有効トレイとして設定するための「ＯＫ」アイコン１０５が配置される。選択されているトレイに対応するアイコン１０１、１０２のいずれか一方は、選択状態をユーザーが判別できるように強調表示される。
【００２３】
また上段トレイ５２を選択するためのアイコン１０１の近傍には、上段トレイ５２が有効となっている状態を見分けるための図画１０３が配置される。図画１０３は上段トレイ５２が前進位置にセットされている給紙カセット５０の外観を簡略化して描いたものである。すなわち、図画１０３は、上段トレイ５２が有効トレイとなる給紙カセット５０の外観を簡略化して描いたものである。また、下段トレイ５１を選択するためのアイコン１０２の近傍には、下段トレイ５１が有効となっている状態を見分けるための図画１０４が配置される。図画１０４は上段トレイ５２が後退位置にセットされている給紙カセット５０の外観を簡略化して描いたものである。すなわち、図画１０４は、下段トレイ５１が有効トレイとなる給紙カセット５０の外観を簡略化して描いたものである。
【００２４】
本実施例では、後述するように下段トレイ５１、上段トレイ５２のいずれかを有効トレイとしてユーザーに設定させ、有効トレイについて用紙の種類（サイズと性質）をユーザーに設定させる。このため、ユーザーが有効トレイに設定した用紙のサイズに応じて用紙の搬送が制御され、ユーザーが有効トレイに設定した用紙の性質に応じてインクの吐出量が制御される。さらに、ユーザーの設定にかかわらず、上段トレイ５２が前進位置にセットされているか後退位置にセットされているかによって、有効トレイ、すなわち印刷対象の用紙が引き出されるトレイが決まる。したがって、上段トレイ５２の位置によって決まる有効トレイと異なるトレイをユーザーが有効トレイとして設定すると、実際に搬送される用紙のサイズと異なるサイズの用紙に応じた搬送が行われ、また、実際に搬送される用紙の性質と異なる性質の用紙に応じてインクの吐出量が制御される。いずれのトレイが有効トレイになるかを給紙カセット５０の外観によって示す図画１０３、１０４を有効トレイ設定画面に表示することで、有効トレイの設定ミスおよび給紙カセット５０のセットミスを防ぐことができる。なお、図画１０３、１０４は、選択されているトレイに応じていずれか一方を表示するようにしても良い。例えば、上段トレイ５２が選択されている場合、図画１０４を表示せずに図画１０３を表示し、下段トレイ５１が選択されている場合には図画１０３を表示せずに図画１０４を表示してもよい。
【００２５】
有効トレイ設定画面を表示しているタッチパネル１０がタップを検出すると、制御部１１はタップ対象がトレイを選択するためのアイコン１０１、１０２であるか、選択されているトレイを有効トレイとして設定するための「ＯＫ」アイコン１０５であるかを判定する（Ｓ１３）。
【００２６】
タップ対象がトレイを選択するためのアイコン１０１、１０２である場合、制御部１１はタップされたアイコンに応じたトレイを有効トレイとして選択し（Ｓ１４）、ステップＳ１３の判定を繰り返す。
【００２７】
タップ対象が選択されているトレイを有効トレイとして設定するための「ＯＫ」アイコン１０５である場合、制御部１１は選択されているトレイを有効トレイに設定する（Ｓ１５）。
【００２８】
続いて制御部１１は、設定された有効トレイについて前回設定された用紙サイズを選択状態にした用紙サイズ設定画面をタッチパネル１０に表示する（Ｓ１６）。用紙サイズ設定画面には、用紙サイズを選択するためのアイコンと選択された用紙サイズを設定するためのアイコンとが配置される。用紙サイズを選択するためのアイコンとして、有効トレイについて設定可能な各用紙サイズのアイコンが配置される。また制御部１１は、選択している用紙サイズを選択するためのアイコンを強調表示する。
【００２９】
図４Ｂは図２に示すようにユーザーの設定履歴を制御部１１が記憶している状態で上段トレイ５２が有効トレイとして設定された場合に制御部１１が表示する用紙サイズ設定画面を示している。用紙サイズ設定画面には、用紙サイズを選択するためのアイコン１０６、１０７、１０８と、選択している用紙サイズを設定するための「ＯＫ」アイコン１１１が配置される。図２に示すようにユーザーの設定履歴を制御部１１が記憶している場合、上段トレイ５２に前回設定された用紙サイズは「Ｌ」であるため、制御部１１は、「Ｌ」を選択した状態で用紙サイズ設定画面を表示する。また図４Ｃは図２に示すようにユーザーの設定履歴を制御部１１が記憶している状態で下段トレイ５１が有効トレイとして設定された場合に制御部１１が表示する用紙サイズ設定画面を示している。図２に示すようにユーザーの設定履歴を制御部１１が記憶している場合、下段トレイ５１に前回設定された用紙サイズは「Ａ４」であるため、制御部１１は、「Ａ４」を選択した状態で用紙サイズ設定画面を表示する。
【００３０】
用紙サイズ設定画面を表示させているタッチパネル１０がタップを検出すると、制御部１１はタップ対象が用紙サイズを選択するためのアイコン１０６−１１０であるか、選択されている用紙サイズを設定するための「ＯＫ」アイコン１１１であるかを判定する（Ｓ１８）。
【００３１】
タップ対象が用紙サイズを選択するためのアイコン１０６−１１０である場合、制御部１１はタップされたアイコンに応じた用紙サイズを選択し（Ｓ２０）、ステップＳ１８の判定を繰り返す。
【００３２】
タップ対象が選択されている用紙サイズを設定するための「ＯＫ」アイコン１１１である場合、制御部１１は選択されている用紙サイズを設定する（Ｓ２１）。
【００３３】
続いて制御部１１は、設定された用紙サイズと組み合わせて前回設定された用紙性質を選択状態にした用紙性質設定画面をタッチパネル１０に表示する（Ｓ２３）。用紙性質設定画面には、用紙性質を選択するためのアイコンと選択された用紙性質を設定するためのアイコンとが配置される。また制御部１１は、選択している用紙性質を選択するためのアイコンを強調表示する。
【００３４】
図４Ｄは図２に示すようにユーザーの設定履歴を制御部１１が記憶している状態で、「Ｌ」が用紙サイズとして設定された場合に制御部１１が表示する用紙性質設定画面を示している。用紙性質設定画面には、用紙性質を選択するためのアイコン１１２−１１５と、選択している用紙性質を設定するための「ＯＫ」アイコン１１６が配置される。図２に示すようにユーザーの設定履歴を制御部１１が記憶している場合、「Ｌ」と組み合わせて前回設定された用紙種類は「光沢紙」であるため、制御部１１は、「光沢紙」を選択した状態で用紙種類設定画面を表示する。また「Ａ４」が用紙サイズとして設定された場合には、「Ａ４」と組み合わせて前回設定された用紙種類は「再生紙」であるため、制御部１１は、「再生紙」を選択した状態で用紙種類設定画面を表示する。
【００３５】
用紙性質設定画面を表示しているタッチパネル１０がタップを検出すると、制御部１１はタップ対象が用紙性質を選択するためのアイコン１１２−１１５であるか、選択されている用紙性質を設定するための「ＯＫ」アイコン１１６であるかを判定する（Ｓ２３）。
【００３６】
タップ対象がトレイを選択するためのアイコン１１２−１１５である場合、制御部１１はタップされたアイコンに応じた用紙性質を選択し（Ｓ２４）、ステップＳ２３の判定を繰り返す。
【００３７】
タップ対象が選択されている用紙性質を設定するための「ＯＫ」アイコン１１６である場合、制御部１１は選択されている用紙性質を設定し（Ｓ２５）、給紙カセット設定処理を終了する。
【００３８】
以上述べた第一実施例によると、給紙カセット５０が印刷部にセットされると、タッチパネル１０の画面にユーザーインターフェースを表示して有効トレイをユーザーに設定させるため、センサーを追加せずに下段トレイ５１、上段トレイ５２のいずれを有効トレイとしているかを特定できる。そして、有効トレイ設定画面は、前回有効トレイに設定されたトレイが有効トレイとして選択された状態で表示されるため、有効トレイを設定するために必要なユーザーの操作数が確率的に低減される。また用紙サイズ設定画面も、前回有効トレイに設定された用紙サイズが選択された状態で表示されるため、用紙サイズを設定するために必要なユーザーの操作数が確率的に低減される。さらに用紙性質設定画面も、設定された用紙サイズと組み合わせて前回設定された用紙性質が選択された状態で表示されるため、用紙性質を設定するために必要なユーザーの操作数が確率的に低減される。
【００３９】
３．第二実施例
本実施例において下段トレイ５１が保持可能な用紙のサイズと、上段トレイ５２が保持可能な用紙のサイズとは、一部が重複し、一部が互いに異なっている。下段トレイ５１が保持可能な用紙サイズと、下段トレイ５１について設定し得る用紙サイズの選択肢は、「Ａ４」、「Ｂ５」、「２Ｌ」、「キングサイズ」および「Ｌ」である。上段トレイ５２が保持可能な用紙サイズと、上段トレイ５２について設定し得る用紙サイズの選択肢とは、「２Ｌ」、「キングサイズ」および「Ｌ」である。第一実施例と同様に本実施例においても制御部１１は、図５に示すように、トレイ毎にトレイが保持する用紙のサイズと性質をユーザーの設定に従って記憶する。
【００４０】
以下、ユーザーに有効トレイと用紙のサイズと紙質を設定させるためのユーザーインターフェースについて説明する。センサー４０が給紙カセット５０の装着を検出すると、制御部１１は図６に示す給紙カセット設定処理を起動する。本実施例の給紙カセット設定処理では、図７に示すユーザーインターフェースが制御部１１によってタッチパネル１０の画面に表示される。
【００４１】
はじめに制御部１１は、直近に設定された用紙サイズを選択状態にした用紙サイズ設定画面をタッチパネル１０に表示する（Ｓ３１）。用紙サイズ設定画面には、下段トレイ５１、上段トレイ５２の少なくともいずれかについて設定可能な用紙サイズを選択するためのアイコンと、選択された用紙サイズを設定するためのアイコンとが配置される。
【００４２】
図７Ａは図５に示すようにユーザーの設定履歴を制御部１１が記憶している状態で制御部１１が表示する用紙サイズ設定画面を示している。用紙サイズ設定画面には、用紙サイズを選択するためのアイコン１０６−１１０と、選択している用紙サイズを設定するための「ＯＫ」アイコン１１１が配置される。図５に示すようにユーザーの設定履歴を制御部１１が記憶している場合、下段トレイ５１が前回に有効トレイとして設定され、下段トレイ５１について前回「Ａ４」が用紙サイズとして設定されているため、制御部１１は、「Ａ４」を選択した状態で用紙サイズ設定画面を表示する。
【００４３】
用紙サイズ設定画面を表示しているタッチパネル１０がタップを検出すると、制御部１１はタップ対象が用紙サイズを選択するためのアイコン１０６−１１０であるか、選択されている用紙サイズを設定するための「ＯＫ」アイコン１１１であるかを判定する（Ｓ３２）。
【００４４】
タップ対象が用紙サイズを選択するためのアイコン１０６−１１０である場合、制御部１１はタップされたアイコンに応じた用紙サイズを選択し（Ｓ３３）、ステップＳ３１の判定を繰り返す。
【００４５】
タップ対象が選択されている用紙サイズを設定するための「ＯＫ」アイコン１１１である場合、制御部１１は選択されている用紙サイズを設定する（Ｓ３４）。
【００４６】
続いて制御部１１は、設定された用紙サイズと組み合わせて前回設定された用紙性質を選択状態にした用紙性質設定画面を第一実施例と同様にタッチパネル１０に表示する（Ｓ３５）。
【００４７】
用紙性質設定画面を表示しているタッチパネル１０がタップを検出すると、制御部１１はタップ対象が用紙性質を選択するためのアイコン１１２−１１５であるか、選択されている用紙性質を設定するための「ＯＫ」アイコン１１６であるかを判定する（Ｓ３６）。
【００４８】
タップ対象がトレイを選択するためのアイコン１１２−１１５である場合、制御部１１はタップされたアイコンに応じた用紙性質を選択し（Ｓ３７）、ステップＳ３６の判定を繰り返す。
【００４９】
タップ対象が選択されている用紙性質を設定するための「ＯＫ」アイコン１１６である場合、制御部１１は、設定された用紙サイズを保持可能なトレイが１つであるか２つであるかを判定する（Ｓ３８）。具体的には「Ａ４」、「Ｂ５」、「２Ｌ」、「キングサイズ」および「Ｌ」のうち、「２Ｌ」、「キングサイズ」および「Ｌ」は下段トレイ５１、上段トレイ５２の２つで保持でき、「Ａ４」および「Ｂ５」は下段トレイ５１でのみ保持できる。このため、設定された用紙サイズが「Ａ４」または「Ｂ５」である場合、制御部１１は設定された用紙サイズを保持可能なトレイが１つであると判定する。
【００５０】
設定された用紙サイズを保持可能なトレイが１つであると判定すると、制御部１１は、当該１つのトレイが有効トレイとしてセットされているかをユーザーに確認させるための確認画面をタッチパネル１０に表示する（Ｓ４０）。確認画面には、設定された用紙サイズを保持可能なトレイが有効となっている給紙カセット５０の状態を見分けるための図画が配置される。具体的には、下段トレイ５１が有効トレイとなる給紙カセット５０の外観を簡略化して描いた図画１０４が確認画面に表示される。
【００５１】
確認画面には「ＯＫ」アイコン１１６および「ＮＧ」アイコン１１７が配置され、「ＯＫ」アイコン１１６または「ＮＧ」アイコン１１７がタップされるまで確認画面が表示される。なお、「ＯＫ」アイコン１１６および「ＮＧ」アイコン１１７を確認画面に配置せずに、一定時間経過を待って次の処理に移っても良い。また、設定された用紙サイズを保持可能なトレイが有効となっている給紙カセット５０の状態を見分けるための図画を、用紙サイズ設定画面において、選択されている用紙サイズと対応付けて表示しても良い。具体的には、下段トレイ５１のみで保持可能な用紙サイズが選択された場合に図画１０４を表示し、下段トレイ５１および上段トレイ５２の両方で保持可能な用紙サイズが選択された場合に図画１０４を非表示してもよい。
【００５２】
確認画面を表示しているタッチパネル１０がタップを検出すると、制御部１１はタップ対象が「ＯＫ」アイコン１１６、「ＮＧ」アイコン１１７のいずれであるかを判定する（Ｓ４０）。
【００５３】
タップ対象が「ＮＧ」アイコン１１７である場合、制御部１１は今回設定された用紙サイズおよび用紙種類の設定を破棄し（Ｓ４２）、給紙カセット設定処理を最初から実行し直す。
【００５４】
タップ対象が「ＯＫ」アイコン１１６である場合、制御部１１は、設定された用紙サイズを保持可能な唯一のトレイである下段トレイ５１を有効トレイに設定し（Ｓ４１）、給紙カセット設定処理を終了する。
【００５５】
一方、ステップＳ３８において、設定された用紙サイズを保持可能なトレイが２つであると判定すると、制御部１１は、第一実施例と同様に、直近に有効トレイとして設定されたトレイを選択状態にした有効トレイ設定画面をタッチパネル１０に表示する（Ｓ４３）。
【００５６】
続いて制御部１１は、有効トレイ設定画面を表示しているタッチパネル１０がタップを検出すると、制御部１１はタップ対象がトレイを選択するためのアイコン１０１、１０２であるか、選択されているトレイを有効トレイとして設定するための「ＯＫ」アイコン１０５であるかを判定する（Ｓ４４）。
【００５７】
タップ対象がトレイを選択するためのアイコン１０１、１０２である場合、制御部１１はタップされたアイコンに応じたトレイを有効トレイとして選択し（Ｓ４５）、ステップＳ４４の判定を繰り返す。
【００５８】
タップ対象が選択されているトレイを有効トレイとして設定するための「ＯＫ」アイコン１０５である場合、制御部１１は選択されているトレイを有効トレイに設定し（Ｓ４６）、給紙カセット設定処理を終了する。
【００５９】
以上述べた第二実施例によると、下段トレイ５１、上段トレイ５２のいずれを有効トレイとしているかをユーザーに設定させる前に、印刷用紙のサイズをユーザーに設定させ、下段トレイ５１のみが保持可能な印刷用紙のサイズが設定されると、下段トレイ５１を有効トレイとみなして設定するため、ユーザーに要求する操作数を低減できる。また下段トレイ５１を有効トレイとみなして設定する際にも、下段トレイ５１を有効トレイとしているかをユーザーに確認するため、給紙カセットのセットミスを防止できる。
【００６０】
４．第三実施例
本実施例では、外部装置からプリンター１に印刷させる際の印刷制御方法について図８を参照しながら説明する。図８に示す印刷制御処理は、外部装置である携帯型情報端末２において印刷制御プログラムを起動した後に、携帯型情報端末２をプリンター１に接触させることによりプリンター１の通信部１５と携帯型情報端末２の近接場通信が行われると起動する。
【００６１】
はじめに携帯型情報端末２の要求に応じて、プリンター１の制御部１１が、有効トレイが保持している用紙のサイズと性質を携帯型情報端末２に送信し、これを携帯型情報端末２が受信することにより、携帯型情報端末２がプリンター１の用紙設定を共有する（Ｓ１０１、Ｓ２０１）。このときプリンター１の制御部１１は、記憶している給紙カセット設定に基づいて、有効トレイが保持している用紙のサイズと性質を携帯型情報端末２に送信する。ここでプリンター１の通信部１５は、近接場通信により用紙のサイズと性質を携帯型情報端末２に送信してもよいし、近接場通信によってＳＳＩＤやパスフレーズといったアカウント情報を共有した後に携帯型情報端末２とプリンター１のＷｉ−Ｆｉ  Ｄｉｒｅｃｔ通信を確立し、Ｗｉ−Ｆｉ  Ｄｉｒｅｃｔ通信によって有効トレイが保持している用紙のサイズと性質を携帯型情報端末２に送信してもよい。このような通信制御方法については、例えば特願２０１４−１５４２１７に詳細に記載している。
【００６２】
プリンター１の有効トレイが保持している用紙のサイズと性質を取得すると、携帯型情報端末２はプリンター１の有効トレイが保持している用紙のサイズと性質を選択した状態で印刷条件設定画面を表示し、印刷条件をユーザーに設定させる。印刷条件設定画面を操作することにより、ユーザーは用紙の設定を変更したり、印刷要求を指示する。続いて携帯型情報端末２は、ユーザーの操作に従って印刷要求をプリンター１に送信する（Ｓ２０２）。印刷要求には、印刷対象と印刷用紙のサイズと性質の指定が含まれる。
【００６３】
印刷要求を受信すると、プリンター１の制御部１１は、受信した印刷要求が指定する用紙のサイズと性質が、有効トレイが保持する用紙のサイズと性質に一致しているか否かを判定する（Ｓ１０２）。
【００６４】
受信した印刷要求が指定する用紙のサイズと性質が、有効トレイが保持する用紙のサイズと性質に一致している場合、プリンター１の制御部１１は印刷要求に基づいて印刷部を制御して印刷を実行させる（Ｓ１０５）。
【００６５】
受信した印刷要求が指定する用紙のサイズと性質が、有効トレイが保持する用紙のサイズと性質に一致していない場合、プリンター１の制御部１１は、給紙カセット操作案内画面をタッチパネル１０に表示させる（Ｓ１０３）。具体的には図９Ａ、図９Ｂ、図９Ｃに示すように、給紙カセット操作案内画面には、給紙カセットの操作方法を案内するメッセージと、印刷要求が指定する用紙を給紙カセットにセットする操作が完了した後に印刷開始を指示するためのアイコン１２１とを配置する。
【００６６】
印刷要求が指定する用紙のサイズを有効トレイで保持できる場合、印刷要求が指定する用紙を有効トレイにセットするようにユーザーに促す案内が給紙カセット操作案内画面に配置される。例えば図２に示すように給紙カセット設定を制御部１１が記憶している状態において「２Ｌ」サイズを指定した印刷要求を受信すると、制御部１１は図９Ａに示す給紙カセット操作案内画面をタッチパネル１０に表示させる。図２に示すように給紙カセット設定を制御部１１が記憶している状態では、「Ｌ」サイズの用紙を保持している上段トレイ５２が有効になっており、上段トレイ５２は「２Ｌ」サイズの用紙を保持できる。したがって給紙カセット操作案内画面において、上段トレイ５２に「２Ｌ」サイズの用紙をセットするように促せばよい。また図画１０３を給紙カセット操作案内画面に配置することにより、上段トレイ５２が有効トレイになっていることをユーザーに認識させるとともに、有効トレイの切り換え操作が不要であることをユーザーに認識させることができる。
【００６７】
また印刷要求が指定する用紙を有効トレイでないトレイで保持している場合、有効トレイを切り換える操作を促す案内が給紙カセット操作案内画面に配置される。例えば図２に示すように給紙カセット設定を制御部１１が記憶している状態において「Ａ４」サイズの「再生紙」を指定した印刷要求を受信すると、制御部１１は図９Ｂに示す給紙カセット操作案内画面をタッチパネル１０に表示させる。図２に示すように給紙カセット設定を制御部１１が記憶している状態では、「Ｌ」サイズの用紙を保持している上段トレイ５２が有効になっており、下段トレイ５１は印刷要求で指定されている「Ａ４」サイズの「再生紙」を保持している。したがって給紙カセット操作案内画面において、有効トレイを下段トレイ５１に切り換えるように促せばよい。また、下段トレイ５１が有効になる給紙カセット５０の外観を示す図画１０４を給紙カセット操作案内画面に配置することにより、ユーザーが給紙カセット５０の操作方法を容易に理解できるようになる。
【００６８】
また印刷要求が指定する用紙をいずれのトレイでも保持しておらず、有効トレイでその用紙を保持できず、有効トレイでないトレイでのみその用紙を保持できる場合、有効トレイを切り換えるとともに、印刷要求が指定する用紙を切り換えた有効トレイにセットする操作を促す案内が給紙カセット操作案内画面に配置される。例えば図２に示すように給紙カセット設定を制御部１１が記憶している状態において「Ｂ５」サイズの「普通紙」を指定した印刷要求を受信すると、制御部１１は図９Ｃに示す給紙カセット操作案内画面をタッチパネル１０に表示させる。図２に示すように給紙カセット設定を制御部１１が記憶している状態では、「Ｂ５」サイズの用紙を保持できない上段トレイ５２が有効になっており、下段トレイ５１は印刷要求の指定と異なる「Ａ４」サイズの「再生紙」を保持している。したがって給紙カセット操作案内画面において、有効トレイを下段トレイ５１に切り換え、下段トレイ５１に「Ｂ５」サイズの「普通紙」をセットするように促せばよい。また、下段トレイ５１が有効になる給紙カセット５０の外観を示す図画１０４を給紙カセット操作案内画面に配置することにより、ユーザーが給紙カセット５０の操作方法を容易に理解できるようになる。
【００６９】
タッチパネル１０が給紙カセット操作案内画面を表示しているとき、制御部１１は、タッチパネル１０が印刷開始を指示するためのアイコン１２１のタップを検出したかを判定し続ける（Ｓ１０４）。
【００７０】
タッチパネル１０が印刷開始を指示するためのアイコン１２１のタップを検出すると、制御部１１は印刷部を制御して印刷要求に基づいた印刷を実行させる（Ｓ１０５）。
【００７１】
５．第四実施例
本実施例では、外部装置からプリンター１に印刷させる際に、給紙カセット操作案内画面を外部装置に表示させる印刷制御方法について図１０を参照しながら説明する。図１０に示す印刷制御処理は、外部装置である携帯型情報端末２において印刷制御プログラムを起動した後に、携帯型情報端末２をプリンター１に接触させることにより近接場通信が行われると起動する。
【００７２】
はじめに携帯型情報端末２の要求に応じて、プリンター１の制御部１１が、給紙カセット設定を携帯型情報端末２に送信し、これを携帯型情報端末２が受信することにより、携帯型情報端末２がプリンター１の給紙カセット設定を共有する（Ｓ１１０、Ｓ２１０）。
【００７３】
プリンター１の給紙カセット設定を共有すると、携帯型情報端末２は、第二実施例においてプリンター１の制御部１１が実行するものとして説明した給紙カセット設定処理をステップＳ３１からＳ３６まで実行する。その結果、携帯型情報端末２のタッチパネルには図７Ａおよび図７Ｂに示すユーザーインターフェースが表示される。
【００７４】
ステップＳ３６において、タップ対象が、選択されている用紙性質を設定するための「ＯＫ」アイコン１１６であると判定すると、携帯型情報端末２は設定された用紙のサイズと性質を指定した印刷要求をプリンター１に送信する（Ｓ２１１）。
【００７５】
印刷要求を受信すると、プリンター１の制御部１１は、受信した印刷要求が指定する用紙のサイズと性質が、有効トレイが保持する用紙のサイズと性質に一致しているか否かを判定する（Ｓ１０２）。
【００７６】
受信した印刷要求が指定する用紙のサイズと性質が、有効トレイが保持する用紙のサイズと性質と一致している場合、プリンター１の制御部１１は印刷要求に基づいて印刷部を制御して印刷を実行させる（Ｓ１０５）。
【００７７】
受信した印刷要求が指定する用紙のサイズと性質が、有効トレイが保持する用紙のサイズと性質と一致していない場合、プリンター１の制御部１１は、給紙カセット操作案内画面の表示要求を携帯型情報端末２に送信する（Ｓ１１２）。
【００７８】
表示要求を受信すると、携帯型情報端末２は、給紙カセット操作案内画面を携帯型情報端末２のタッチパネルに表示する（Ｓ２１２）。具体的には、図９Ａ、図９Ｂ、図９Ｃに示すように、給紙カセット操作案内画面には、給紙カセットの操作方法を案内するメッセージと、印刷要求が指定する用紙を給紙カセットにセットする操作が完了した後に印刷開始を指示するためのアイコン１２１とを配置する。
【００７９】
このとき、携帯型情報端末２は、印刷要求が指定する用紙と、給紙カセット設定として記憶している有効トレイと、有効トレイが保持する用紙と、有効トレイではないトレイが保持する用紙と、それぞれのトレイが保持できる用紙とに基づいて給紙カセット操作画面を構成する。印刷要求が指定する用紙のサイズを有効トレイで保持できる場合、印刷要求が指定する用紙を有効トレイにセットするようにユーザーに促す案内が図９Ａに示すように給紙カセット操作案内画面に配置される。また、印刷要求が指定する用紙を有効トレイでないトレイで保持している場合、有効トレイを切り換える操作を促す案内が図９Ｂに示すように給紙カセット操作案内画面に配置される。また、印刷要求が指定する用紙をいずれのトレイでも保持しておらず、有効トレイでその用紙を保持できず、有効トレイでないトレイでのみその用紙を保持できる場合、有効トレイを切り換えるとともに、印刷要求が指定する用紙を、切り換えた有効トレイにセットする操作を促す案内が図９Ｃに示すように給紙カセット操作案内画面に配置される。
【００８０】
携帯型情報端末２のタッチパネル２１が給紙カセット操作案内画面を表示しているとき、携帯型情報端末２は、印刷開始を指示するためのアイコン１２１のタップをタッチパネルが検出したかを判定し続ける（Ｓ２１３）。
【００８１】
タッチパネルが印刷開始を指示するためのアイコン１２１のタップを検出すると、携帯型情報端末２は開始要求をプリンター１に送信して（Ｓ２１４）、プリンター１に印刷を実行させる（Ｓ１０５）。なお、携帯型情報端末２がプリンター１に送信する印刷要求が指定する用紙と、プリンター１の有効トレイが保持する用紙が一致している場合、プリンター１においてステップ１１２が実行されないため、携帯型情報端末２はステップＳ２１２からステップＳ２１４の処理を実行しないことになる。
【００８２】
本実施例では、携帯型情報端末２が給紙カセット設定を共有した状態で携帯型情報端末２のユーザーに印刷用紙の設定をさせるため、有効トレイに保持された用紙が選択された状態のユーザーインターフェースを用いてユーザーは印刷用紙を設定することができる。つまり、給紙カセット５０を操作せずに印刷を実行させることができる用紙を設定して印刷を指示することが容易である。また、有効トレイに保持されていない用紙を設定して印刷を指示する場合であっても、給紙カセット操作案内画面が携帯型情報端末２に表示されるため、給紙カセット５０が誤った状態にセットされたままで印刷が実行されることを防止できる。
【００８３】
６．第五実施例
携帯型情報端末２は、携帯型情報端末２からプリンター１に印刷要求を送信する度に用紙のサイズと性質を記憶し、印刷サイズ設定画面における用紙のサイズ選択に応じて、選択されたサイズと組み合わせて前回選択された用紙の性質を選択した印刷性質設定画面を表示し、選択した用紙のサイズと種類を指定した印刷要求をプリンター１に送信しても良い。
【００８４】
例えば図１１に示すように携帯型情報端末２が１０回の印刷要求分の用紙のサイズと種類の組み合わせの履歴を記憶するとする。このように携帯型情報端末２が用紙のサイズと種類を記憶している場合、プリンター１の給紙カセット５０の状態にかかわらず、携帯型情報端末２は携帯型情報端末２で最後に設定された「Ａ４」サイズの「普通紙」を選択した状態の用紙サイズ設定画面を表示する。そしてユーザーがこの用紙サイズ設定画面を操作して「２Ｌ」サイズを選択すると、携帯型情報端末２は「２Ｌ」サイズと最後に組み合わせた「光沢紙」を選択した状態の用紙性質設定画面を表示すればよい。
【００８５】
７．他の実施形態
尚、本発明の技術的範囲は、上述した実施の形態に限定されるものではなく、本発明の要旨を逸脱しない範囲内において種々変更を加えたり、実施例の組み合わせを変更し得ることは勿論である。
【００８６】
例えば、給紙カセット設定処理において、用紙種類として用紙性質を用紙サイズより先に設定させ、設定された用紙性質と組み合わせて前回設定された用紙サイズを優先提示しても良い。
また、使用しているユーザーを識別できる場合には、ユーザーごとに履歴を記憶するようにしてもよい。
また、ユーザーが印刷を行う前の出荷時では、履歴にメーカーが想定するデフォルトの用紙性質及び用紙サイズの対応を記憶させておいてもよい。
【００８７】
また、用紙種類を設定するためのユーザーインターフェースにおいて、ドロップダウンリストやスクロールリストといったリストに用紙サイズまたは用紙性質の選択肢を配置してもよい。この場合、前回設定された用紙サイズまたは用紙性質を、リストの初期選択値とすることにより、優先提示すればよい。
【００８８】
また、給紙カセットも、複数のトレイも備えず、１つの給紙経路のみを持つ印刷装置に、印刷媒体の２回分以上の設定履歴を用いて特定の印刷媒体の種類の選択肢を優先提示するようにしてもよい。この場合、印刷部に印刷媒体がセットされたことを検出するセンサーを設けておき、印刷部に印刷媒体がセットされた場合に印刷媒体の種類を設定するためのユーザーインターフェースを画面表示すればよい。
【００８９】
また、給紙カセットに３段以上のトレイを設け、いずれか１つのトレイを有効トレイとする構成にも本発明を適用することができる。またそれぞれが複数段のトレイを備える複数の給紙カセットを備える印刷装置にも本発明を適用することができる。この場合、給紙カセット毎に有効トレイをユーザーに設定させればよい。またこの場合、給紙カセット毎、トレイ毎に、用紙種類の設定履歴を記憶すればよい。
【００９０】
また、タッチパネルの代わりに、指との接触を検出する機能を持たないディスプレイと、スイッチとを用いてユーザーインターフェースを操作させるように構成しても良い。また、選択肢を同時に複数を画面に表示してユーザーに選択をさせていたが、選択肢を同時に１つのみ画面に表示して、ユーザー操作に応じて順に切り替えて表示するようにしてもよい。この場合、最初に画面に表示させる選択肢が、履歴に基づいて選ばれた選択肢になる。また本発明は、インクジェットプリンターの他、ページプリンター等の他の印刷装置にも適用できることはいうまでもない。
【符号の説明】
【００９１】
１…プリンター、２…携帯型情報端末、１０…タッチパネル、１１…制御部、１２…印刷駆動部、１３…給紙駆動部、１４…印刷ヘッド、１５…通信部、２１…タッチパネル、２５…分離ローラー、２９…従動ローラー、３０…送紙ローラー、３１…ピックアップローラー、３３…揺動軸、４０…センサー、５０…給紙カセット、５１…下段トレイ、５２…上段トレイ、１０１…アイコン、１０２…アイコン、１０５…アイコン、１０６…アイコン、１１１…アイコン、１１２…アイコン、１１６…アイコン、１１７…アイコン、１２１…アイコン、５１１…スライドガイド、５２１…スライドガイド、５１３…ガイド、Ｐ１…用紙束、Ｐ２…用紙束、ＰＰ…給紙経路
【図１】
0006459309.tif 000002
【図２】
0006459309.tif 000003
【図３】
0006459309.tif 000004
【図４】
0006459309.tif 000005
【図５】
0006459309.tif 000006
【図６】
0006459309.tif 000007
【図７】
0006459309.tif 000008
【図８】
0006459309.tif 000009
【図９】
0006459309.tif 000010
【図１０】
0006459309.tif 000011
【図１１】
0006459309.tif 000012